(57)【要約】      （修正有）【課題】配線の影響を少なくすることを目的とした入力デバイス、又はタッチパネルに対する被検出部の検出反応を配線よりも強く生じるようにする入力デバイスおよび情報処理方法を提供する。【解決手段】入力デバイス６００は、静電容量の変化によって導電性を有する物体若しくは部位の接触位置若しくは近接位置の検出を行うことができるタッチパネル用の入力デバイスであって、直接若しくは中間層を介して対向させた二つの導電層６０１、６０３を有する。一方の導電層６０１は、平面的な薄膜層若しくは立体的な隆起部を互いに独立して配置した複数個の導電性領域６０２ａ〜６０２ｄを有し、他方の導電層６０３は、一方の導電層６０１を構成する複数の導電性領域６０２ａ〜６０２ｄに対して、中間層を介して対向する導電性領域６０６ａ〜６０６ｄ若しくは一方の導電層を構成する複数の導電性領域との導通部６０４を有する。【選択図】図２
2017076246.tif 000002
【特許請求の範囲】
【請求項１】
静電容量の変化によって導電性を有する物体若しくは部位の接触位置若しくは近接位置の検出を行うことができるタッチパネル用の入力デバイスであって、 
直接若しくは中間層を介して対向させた二つの導電層を有し、 
前記一方の導電層は、平面的な薄膜層若しくは立体的な隆起部を互いに独立して配置した複数個の導電性領域を有し、 
前記他方の導電層は、前記一方の導電層を構成する複数の導電性領域に対して、中間層を介して対向する導電性領域若しくは前記一方の導電層を構成する複数の導電性領域との導通部を有することを特徴とする入力デバイス。 
【請求項２】
静電容量の変化によって接触位置若しくは近接位置の検出を行うことができるタッチパネル用の入力デバイスであって、 
一枚のシート若しくは複数枚のシートを一体的に重ね合わせた複数の層を有し、 
前記シートの一つに導電層を設けるとともに、当該シートに前記タッチパネル側に向かって隆起させた立体部を設けたことを特徴とする入力デバイス。 
【請求項３】
複数個の導電性小領域と、当該導電性小領域の合計面積よりも大きな面積の導電性大領域と前記各導電性小領域と直接若しくは他の導電性小領域を介して導電性大領域と電気的に接続する細幅の導通部からなる第一導電層を設けたシートと、 
前記第１導電層との貼り合わせ面に、前記各導電性小領域と対向して配置させた当該導電性小領域と同程度の面積若しくは当該導電性小領域よりも大きい面積の個々に独立した導電性小領域からなる第二導電層を設けたシートを有することを特徴とする入力デバイス。
【請求項４】
前記第二導電層を構成する個々に独立した導電性小領域は、第一導電層に設けた導電性小領域として肉厚部若しくは肉厚方向に高低差を有する立体形状部を設けたことを特徴とする請求項３記載の入力デバイス。 
【請求項５】
手に持つことができる程度の外形に形成されたシート状の入力デバイスであって、 
紙若しくは合成樹脂製のシートによって形成された単層若しくは複数層からなる基材を有し、 
前記基材の裏面から突出させた複数の凸部又は表面からの押圧によって裏面側に隆起若しくは突出するように内層に設けた複数の隆起部を設けたことを特徴とする入力デバイス。
【請求項６】
前記基材の表面に、押圧すべき場所若しくは押圧する経路を示す表示部を設けたことを特徴とする請求項５記載の入力デバイス。 
【請求項７】
前記凸部又は隆起部を、導電性を有する素材若しくは導電物質を含む素材によって形成したことを特徴とする請求項５又は６記載の入力デバイス。 
【請求項８】
前記凸部又は隆起部に導電性を有する皮膜を設けたことを特徴とする請求項５又は６記載の入力デバイス。 
【請求項９】
前記凸部又は隆起部を設けた位置とは異なる位置に、一又は複数の被検出部を構成する導電層を設けたことを特徴とする請求項５乃至８の何れか一項記載の入力デバイス。 
【請求項１０】
画像表示機能と接触位置の検出機能を備えたタッチパネルを用いた情報処理方法であって、 
タッチパネル表面に対する一又は二以上の押圧位置座標を検出し、 
当該検出した押圧位置座標若しくは押圧位置座標に基づいて生成した押圧情報を、予め記憶した押圧位置座標若しくは押圧情報と対比し、 
当該対比結果に基づいて予め定めた処理を実行するように構成したことを特徴とする情報処理方法。 
【請求項１１】
画像表示機能と接触位置の検出機能を備えたタッチパネルを用いた情報処理方法であって、 
タッチパネル表面に対する押圧による位置座標及び／又はタッチパネル表面に対する接触若しくは近接による位置座標を静電容量の変化に基づいて検出し、 
前記押圧及び／又は接触若しくは近接による位置座標に基づいて予め定めた処理を実行するように構成したことを特徴とする情報処理方法。 
【請求項１２】
タッチパネル表面に対する押圧位置および／若しくはタッチパネル表面を押圧しながら移動させた軌跡を検出する場合において、 
押圧位置の検出順序若しくは押圧しながら移動させた軌跡を構成する始点から終点に向かう方向を判定条件に含めて、予め定めた処理を実行するように構成したことを特徴とする請求項１１又は１２記載の情報処理方法。 
【発明の詳細な説明】
【技術分野】
【０００１】
本発明は、所謂タッチパネルを備えた電子機器に対して情報を入力する入力デバイスおよび電子機器を用いた情報処理方法に関するものである。 
【背景技術】
【０００２】
タッチパネルに対する指の接触位置を、静電容量の変化を利用して検出する電子機器が多数存在している。このような電子機器に対する入力デバイスとして、特許文献１記載の入力デバイスがある。これは、タッチパネルの表面に接触させるカードに、タッチパネルの検出部に対して静電容量の変化を惹起させる導電性領域を複数箇所設けたものである。このカードをタッチパネルの表面に接触させると、カードに搭載した導電性領域の位置をタッチパネルが検出して導電性領域の配列に基づくコード情報を生成するというものである。 
同一平面上に、タッチパネルによって検出可能な被検出部として機能する導電性領域を設ける場合、細幅の導電部（配線）を設けて被検出部とは異なる位置に設けた広い面積の導電性領域と接続する。これは、被検出部がタッチパネルとの間で容量結合を行う際に、被検出部の検出に十分な電荷を広い面積の導電性領域から移動させるためである。 
【先行技術文献】
【特許文献】
【０００３】
【特許文献１】特許第５７３３８４５号公報
【発明の概要】
【発明が解決しようとする課題】
【０００４】
しかしながら、同一平面上に被検出部と配線を設ける場合、被検出部と同様に配線も静電容量を保持する容量体であるため、被検出部と配線を合成したものを一つの被検出部として誤認する場合がある。 
本発明はこのような事情に鑑み、配線の影響を少なくすることを目的とした入力デバイス、又はタッチパネルに対する被検出部の検出反応を配線よりも強く生じるようにすることを目的とした入力デバイスおよび情報処理方法を提供することを課題とするものである。
【課題を解決するための手段】
【０００５】
上記課題を解決するために本発明は以下の構成を有する。すなわち、 
静電容量の変化によって導電性を有する物体若しくは部位の接触位置若しくは近接位置の検出を行うことができるタッチパネル用の入力デバイスであって、 
直接若しくは中間層を介して対向させた二つの導電層を有し、 
前記一方の導電層は、平面的な薄膜層若しくは立体的な隆起部を互いに独立して配置した複数個の導電性領域を有し、 
前記他方の導電層は、前記一方の導電層を構成する複数の導電性領域に対して、中間層を介して対向する導電性領域若しくは前記一方の導電層を構成する複数の導電性領域との導通部を有することを特徴とする。 
【０００６】
また、本発明は以下の構成を備えたことを特徴とする。すなわち、 
静電容量の変化によって接触位置若しくは近接位置の検出を行うことができるタッチパネル用の入力デバイスであって、 
一枚のシート若しくは複数枚のシートを一体的に重ね合わせた複数の層を有し、 
前記シートの一つに導電層を設けるとともに、当該シートに前記タッチパネル側に向かって隆起させた立体部を設けたことを特徴とする。 
【０００７】
また、本発明に係る入力デバイスは以下の構成を備えたことを特徴とする。すなわち、
複数個の導電性小領域と、当該導電性小領域の合計面積よりも大きな面積の導電性大領域と前記各導電性小領域と直接若しくは他の導電性小領域を介して導電性大領域と電気的に接続する細幅の導通部からなる第一導電層を設けたシートと、 
前記第１導電層との貼り合わせ面に、前記各導電性小領域と対向して配置させた当該導電性小領域と同程度の面積若しくは当該導電性小領域よりも大きい面積の個々に独立した導電性小領域からなる第二導電層を設けたシートを有することを特徴とする。 
【０００８】
また、本発明は上記構成に加えて以下の構成を備えたことを特徴とする。すなわち、 
前記第二導電層を構成する個々に独立した導電性小領域は、第一導電層に設けた導電性小領域として肉厚部若しくは肉厚方向に高低差を有する立体形状部を設けたことを特徴とする。 
【０００９】
また、本発明は以下の構成を備えたことを特徴とする。すなわち、 
手に持つことができる程度の外形に形成されたシート状の入力デバイスであって、 
紙若しくは合成樹脂製のシートによって形成された単層若しくは複数層からなる基材を有し、 
前記基材の裏面から突出させた複数の凸部又は表面からの押圧によって裏面側に隆起若しくは突出するように内層に設けた複数の隆起部を設けたことを特徴とする。 
【００１０】
また、本発明は上記構成に加えて以下の構成を備えたことを特徴とする。すなわち、 
前記基材の表面に、押圧すべき場所若しくは押圧する経路を示す表示部を設けたことを特徴とする。 
【００１１】
また、本発明は上記構成に加えて以下の構成を備えたことを特徴とする。すなわち、 
前記凸部又は隆起部を、導電性を有する素材若しくは導電物質を含む素材によって形成したことを特徴とする。 
【００１２】
また、本発明は上記構成に加えて以下の構成を備えたことを特徴とする。すなわち、 
前記凸部又は隆起部に導電性を有する皮膜を設けたことを特徴とする。 
【００１３】
また、本発明は上記構成に加えて以下の構成を備えたことを特徴とする。すなわち、 
前記凸部又は隆起部を設けた位置とは異なる位置に、一又は複数の被検出部を構成する導電層を設けたことを特徴とする。 
【００１４】
また、本発明は以下の構成を備えたことを特徴とする。すなわち、 
画像表示機能と接触位置の検出機能を備えたタッチパネルを用いた情報処理方法であって、 
タッチパネル表面に対する一又は二以上の押圧位置座標を検出し、 
当該検出した押圧位置座標若しくは押圧位置座標に基づいて生成した押圧情報を、予め記憶した押圧位置座標若しくは押圧情報と対比し、 
当該対比結果に基づいて予め定めた処理を実行するように構成したことを特徴とする。
【００１５】
また、本発明は以下の構成を備えたことを特徴とする。すなわち、 
画像表示機能と接触位置の検出機能を備えたタッチパネルを用いた情報処理方法であって、 
タッチパネル表面に対する押圧による位置座標及び／又はタッチパネル表面に対する接触若しくは近接による位置座標を静電容量の変化に基づいて検出し、 
前記押圧及び／又は接触若しくは近接による位置座標に基づいて予め定めた処理を実行するように構成したことを特徴とする。 
【００１６】
また、本発明は上記構成に加えて以下の構成を備えたことを特徴とする。すなわち、 
タッチパネル表面に対する押圧位置および／若しくはタッチパネル表面を押圧しながら移動させた軌跡を検出する場合において、 
押圧位置の検出順序若しくは押圧しながら移動させた軌跡を構成する始点から終点に向かう方向を判定条件に含めて、予め定めた処理を実行するように構成したことを特徴とする。 
【図面の簡単な説明】
【００１７】
【図１】本実施の形態に係る入力デバイスの構造を表した説明図である。
【図２】第１実施例に係る入力デバイスの構造を表した説明図である。
【図３】第２実施例に係る入力デバイスの外観図である。
【図４】第２実施例に係る入力デバイスの内部構造を表した説明図である。
【図５】第３実施例に係る入力デバイスの外観図である。
【図６】第３実施例に係る入力デバイスの内部構造を表した説明図である。
【図７】第４実施例に係る入力デバイスの表面側を表した外観図である。
【図８】第４実施例に係る入力デバイスの裏面側を表した外観図である。
【図９】第４実施例に係る入力デバイスの使用状態を表した説明図である。
【図１０】第４実施例に係る入力デバイスの作用を表した説明図である。
【図１１】第５実施例に係る入力デバイスの表面側を表した外観図である。
【図１２】第５実施例に係る入力デバイスの裏面側を表した外観図である。
【図１３】第６実施例に係る入力デバイスの表面側を表した外観図である。
【図１４】第６実施例に係る入力デバイスの裏面側を表した外観図である。
【発明を実施するための形態】
【００１８】
以下、本発明を実施するための形態を図を用いて説明する。図１は本実施の形態に係る入力デバイス５００の構造を表した説明図である。 
入力デバイス５００は一例としてカード状に形成したものであり、基材となるシート体５１０の一側面に２つの導電層（第１の導電層５０１、第２の導電層５０３）を設けたものである。シート体５１０は絶縁体である。 
入力デバイス５００は、一例として０．５ｍｍ程度の肉厚に形成されており、外形形状は略矩形の薄いシート状を成している。その大きさはクレジットカード、トランプカードと同程度の指先で持つことができる程度の大きさに形成されており、一例として横幅５９ｍｍ×縦長さ８６ｍｍ程度の外形を成すように形成されている。詳細な説明は省くが入力デバイス５００の表面および裏面には絵柄を表示した印刷層が設けられる。また、適宜他のシートを貼りあわせて一枚のカードとして構成されるものである。 
【００１９】
図示した第１の導電層５０１は、互いに独立した立体的な隆起部として形成した導電部５０２（５０２ａ、５０２ｂ、５０２ｃ、５０２ｄ、５０２ｅ）から構成されている。導電部５０２は、一例として導電性を有する発泡インクを膨張させて立体的に形成する場合の他、樹脂、紙等の肉厚のある板状体に導電性皮膜を形成する等して形成される。導電部５０２は中実、中空何れでも構わないものであり、シート体５１０の一側面から隆起した突出部として設けられる。 
なお、入力デバイス５００は、当該構成のまま使用してもよいし、さらに他のシートを重ね合わせて第１の導電層５０１、第２の導電層５０３を隠蔽しても差し支えない。 
【００２０】
第２の導電層５０３は、複数本の細幅の配線部５０４と他の部位と比較して面積を大きく形成した広域導電部５０５を有している。配線部５０４と広域導電部５０５は、導電性インク、金属箔、その他導電性を有する素材、手法により薄膜状に形成したものであり、互いに電気的に接続されている。電気的に接続されているとは、両者が直接若しくは容量結合されていることであり、一方に生じた電気的な変化を他方にも及ぼすことをいうものである。 
入力デバイス５００は、上記第２の導電層５０３をシート体５１０の一側面に設け、その上に第１の導電層５０１を重ね合わせることで、シート体５１０の一側面から第１の導電層５０１を隆起させた入力デバイス５００が形成される。基材となるシート体５１０は、紙、合成樹脂シート等の絶縁性素材で形成されている。 
【００２１】
上記入力デバイス５００は、第１の導電層５０１を設けた側面をタッチパネルに接触させると、複数個設けた導電部５０２の各位置を検出させることができる。導電部５０２はシート体５１０の側面から隆起しているので、隆起していない薄膜状の第２の導電層５０３の配線部５０４よりもタッチパネルに近接する。このため、導電部５０２を検出する際に配線部５０４が保持する静電容量の影響を少なくした状態で導電部５０２の位置を認識させることができる。この結果、配置した導電部５０２の位置を精度よく検出させることができるようになっている。 
【００２２】
第２の導電層５０３の広域導電部５０５は、入力デバイス５００の使用時にはタッチパネルから遠ざかった位置に配置されるものであり、導電部５０２との間で電荷の移動を可能にすることでタッチパネルの検出部に生じる反応を強くする効果がある。 
なお、図示しての説明は省略するが、シート体５１０の一側面に第１の導電層５０１を設け、他方の側面に第２の導電層５０３を設けてもよい。この場合、第１の導電層５０１と第２の導電層５０３は絶縁されるが、第２の導電層５０３にシート体５１０を中間層として介在させた状態で導電部５０２と対向する導電性の小領域を設けると、互いに静電的な影響を及ぼし合う。この静電的な影響によって導電部５０２の内部で電荷の偏りを容易にし、タッチパネルの検出部に生じる反応を強くするようになっている。 
【００２３】
本実施の形態に係る入力デバイス５００は、タッチパネルに対する被検出部を構成する導電部５０２を薄い層ではなく隆起させた立体部となっている。導電部５０２は、他の導電部から独立して配置された単体の状態では、タッチパネルの検出部に生じさせる反応が弱い。このため広域導電部５０５と直接若しくは静電容量的な結合を行わせることが望ましいものであり、このために導電部５０２と広域導電部５０５を結ぶ配線部５０４が必要になる。しかし、配線部５０４も静電容量を有しているので、導電部５０２と同一の面に設けると、配線部５０４と導電部５０２を合成したものがタッチパネルによって検出されることになる。この場合、導電部５０２の検出位置が不正確になりやすくなる。本実施例では、このような課題を解決するために、検出対象となる導電部５０２と検出対象ではない配線部５０４との間に高低差を設けることで、配線部５０４の存在によって生じる問題を軽減するようになっている。 
【００２４】
本実施の形態に係る入力デバイス５００は、このような被検出部と配線部との間に高低差を設け、タッチパネルからの距離を異ならせることによって、検出の精度を高めようとするものである。なお、上記の例において、シート体５１０の一側面に第１の導電層５０１および第２の導電層５０３を設ける場合、予め両導電層を一つの導電層として形成したものをシート体５１０の側面に設けても差し支えない。さらに、当該一つの導電層を基材となる一枚のシート若しくは複数枚のシートを一体的に重ね合わせることで入力デバイスを構成しても差し支えない。このような効果を達成する具体的に手段は上記の例に限らないものであるが、何れも特許請求の範囲に記載した発明を逸脱しない範囲内で、本発明の技術的範囲に属するものである。 
【００２５】
以下、本発明の各種の実施例についてさらに説明する。 
［実施例１］ 
図２は、本発明に係る入力デバイスの他の実施例に関する説明図である。同図に示した入力デバイス６００もカード状に形成したものであり、基材となるシート体６１０の一側面に２つの導電層（第１の導電層６０１、第２の導電層６０３）を設けたものである。図示した第１の導電層６０１は、互いに独立した立体的な隆起部として形成した導電部６０２（６０２ａ、６０２ｂ、６０２ｃ、６０２ｄ）から構成されている。 
導電部６０２は、一例として導電性を有する発泡インクを膨張させて立体的に形成する場合の他、樹脂、紙等の肉厚のある板状体に導電性皮膜を形成する等して形成される。導電部６０２は中実、中空何れでも構わないものであり、シート体６１０の一側面に設けた場合に、表面から隆起して突出するように設けられる。 
なお、入力デバイス６００は、当該構成のまま使用してもよいし、他のシートを重ね合わせて第１の導電層６０１、第２の導電層６０３を隠蔽しても差し支えない。 
【００２６】
第２の導電層６０３は、複数本の細幅の配線部６０４と他の部位と比較して面積を大きく形成した広域導電部６０５を有している。また、配線部６０４は広域導電部６０５を中心として放射状に設けており、各配線部６０４の先端に小領域６０６（６０６ａ、６０６ｂ、６０６ｃ、６０６ｄ）を設けている。小領域６０６は、前述した導電部６０２と対向する位置に配置されるようになっており、対向する導電部６０２と略同一の形状若しくはこれよりもやや小さく形成されている。 
【００２７】
配線部６０４、小領域６０６および広域導電部６０５は、導電性インク、金属箔、その他導電性を有する素材、手法により薄膜状に形成したものであり、互いに電気的に接続されている。電気的に接続されているとは、両者が直接若しくは容量結合されていることであり、一方に生じた電気的な変化を他方にも及ぼすことをいうものである。 
入力デバイス６００は、上記第２の導電層６０３をシート体６１０の一側面に設け、その上に第１の導電層６０１を重ね合わせることで、シート体６１０の一側面から第１の導電層６０１を隆起させた入力デバイス６００が形成される。基材となるシート体６１０は、紙、合成樹脂シート等の絶縁性素材で形成されている。 
【００２８】
上記入力デバイス６００は、第１の導電層６０１を設けた側面をタッチパネルに接触させると、複数個設けた導電部６０２の各位置を検出させることができる。導電部６０２はシート体６１０の側面から隆起しているので、隆起していない薄膜状の第２の導電層６０３の配線部６０４よりもタッチパネルに近接する。このため、導電部６０２を検出する際に配線部６０４が保持する静電容量の影響を少なくした状態で導電部６０２の位置を認識させることができる。この結果、配置した導電部６０２の位置を精度よく検出させることができるようになっている。 
【００２９】
第２の導電層６０３の広域導電部６０５は、被検出部となる導電部６０２によって包囲される位置に設けられている。この部位は、シート体６１０の反対面から使用者が押すことによって、使用者との間で容量結合を生じる部分であり、その電気的な作用を導電部６０２に及ぼすために設けたものである。広域導電部６０５を設けた反対面を指先で押すと、押された部分が撓みタッチパネルに近接若しくはタッチパネルの表面を押圧する。 
この場合、広域導電部６０５も導電部６０２と同様にタッチパネルによって検出可能になる。また、タッチパネルが押圧を検知する機能を持ったものである場合、この押圧の検出も可能になるものである。 
【００３０】
なお、図示しての説明は省略するが、シート体６１０の一側面に第１の導電層６０１を設け、他方の側面に第２の導電層６０３を設けてもよい。この場合、第１の導電層６０１と第２の導電層６０３は絶縁されるが、第２の導電層６０３の小領域６０６と互いに静電的な影響を及ぼし合う。この静電的な影響によって導電部６０２の内部で電荷の偏りを容易にし、タッチパネルの検出部に生じる反応を強くするようになっている。 
【００３１】
本実施の形態に係る入力デバイス６００は、タッチパネルに対する被検出部を構成する導電部６０２を薄い層ではなく隆起させた立体部となっている。導電部６０２は、他の導電部から独立して配置された単体の状態では、タッチパネルの検出部に生じさせる反応が弱い。このため広域導電部６０５と直接若しくは静電容量的な結合を行わせることが望ましいものであり、このために導電部６０２と広域導電部６０５を結ぶ配線部６０４が必要になる。しかし、配線部６０４も静電容量を有しているので、導電部５０２と同一の面に設けると、配線部６０４と導電部６０２を合成したものがタッチパネルによって検出されることになる。この場合、導電部６０２の検出位置が不正確になりやすくなる。本実施例では、このような課題を解決するために、検出対象となる導電部６０２と検出対象ではない配線部６０４との間に高低差を設けることで、配線部６０４の存在によって生じる問題を軽減するようになっている。 
【００３２】
本実施の形態に係る入力デバイス６００は、このような被検出部と配線部との間に高低差を設け、タッチパネルからの距離を異ならせることによって、検出の精度を高めようとするものである。なお、上記の例において、シート体６１０の一側面に第１の導電層６０１および第２の導電層６０３を設ける場合、予め両導電層を一つの導電層として形成したものをシート体６１０の側面に設けても差し支えない。さらに、当該一つの導電層を基材となる一枚のシート若しくは複数枚のシートを一体的に重ね合わせることで入力デバイスを構成しても差し支えない。 
【００３３】
なお、第１の導電層６０１と第２の導電層６０３を設ける場合、検出対象となる第１の導電層６０１の導電部６０２を薄肉の導電層として形成することも可能である。この場合、第２の導電層６０３に導電部６０２に対向する小領域６０６を設けると、直接若しくは間接的に重なり合った導電部６０２と小領域６０６によって、第２の導電層６０３よりも隆起した被検出部が形成されることになる。このような態様も本発明の技術的範囲に属するものである。 
【００３４】
また、前述した入力デバイス５００が有する手段を入力デバイス６００に適宜適用しても差し支えなく、入力デバイス６００が有する手段を前述した入力デバイス５００に適宜適用することも当然ながら可能である。 
以上説明した作用および効果を達成する具体的に手段は上記の例に限らないものであるが、何れも特許請求の範囲に記載した発明を逸脱しない範囲内で、本発明の技術的範囲に属するものである。 
【００３５】
［実施例２］ 
次に、本発明の他の実施例に係る入力デバイス４００を図３、図４を用いて説明する。図３は、入力デバイス４００の外観斜視図を表している。カード４００は、一例として０．５ｍｍ程度の肉厚に形成されており、外形形状は略矩形の薄いシート状を成している。その大きさはクレジットカード、トランプカードと同程度の指先で持つことができる程度の大きさに形成されており、一例として横幅５９ｍｍ×縦長さ８６ｍｍ程度の外形を成すように形成されている。詳細な説明は省くが４００の表面および裏面には絵柄を表示した印刷層が設けられる。入力デバイス４００は、一例として表層シート４０１と裏層シート４０２の２枚のシートの貼りあわせによって一枚のシート体として構成している。 
【００３６】
図４は、表層シート４０１の表面４０１ａと貼り合わせ面４０１ｂおよび、裏層シート４０２の表面（入力デバイス４００の裏面）４０２ａと貼り合わせ面４０２ｂの説明図である。上記両シートの貼り合わせ面４０１ｂおよび貼り合わせ面４０２ｂは、ともに入力デバイス４００の内層において対向して接する平面となっている。なお、貼り合わせ面４０１ｂと貼り合わせ面４０２ｂの間に、接着層や肉厚や電気的な効果を高めるための中間層を設ける場合もあるが、これらの態様も本実施の形態に包含されるものである。 
【００３７】
表層シート４０１の表面４０１ａには、どのような絵柄でも差し支えないが、指先による押圧位置を表す表示部４０４を設けている。当該表示部４０４は、通常の印刷インクによる印刷層、好ましくは導電性インクを使用した印刷層若しくは金属箔の貼り付けによる金属箔層によって形成される。図示した例は単なる円を表しているが、アニメーションキャラクターの顔であったり、星形その他のデザインでも差し支えない。表示部４０４は、次に説明する貼り合わせ面４０１ｂに設けた導電領域の配置に応じた位置に設けられる。
【００３８】
貼り合わせ面４０１ｂには、導電性のインク若しくは金属箔によって形成した第１導電層４０５を設けている。一例として当該第１導電層４０５は、前述した表示部４０４の真裏に相当する位置に配置した中央領域（導電性大領域）４０６と、当該中央領域４０６の周囲に配置した４カ所の導電性小領域４０７（４０７ａ、４０７ｂ、４０７ｃ、４０７ｄ）を有する。 
【００３９】
中央領域４０６は、直径略２０ｍｍ程度の円形領域として形成されている。中央領域４０６は、前述した表示部４０４の真裏に配置されている。中央領域４０６は、表示部４０４と電気的に導通していることが好ましい。なお、直接接続していなくても、表示部４０４に指先が接すると人体と静電的な作用を中央領域４０６に及ぼすことができるので、直接的な接続は必ずしも必要ではない。 
中央領域（導電性大領域）４０６の形状は円形に限らないものであるが、面積は同一平面上に設けた複数の導電性小領域４０７の合計面積よりも大きい面積を有するように構成される。これは、表示部４０４を指先によって押圧した場合に、タッチパネルに対して指先が及ぼす静電的な作用を中央領域４０６に代替させるためである。この場合、静電的な作用に基づいて行われるタッチパネル上の検出位置は中央領域４０６の略中央になる。 
【００４０】
また、表層シート４０１と裏層シート４０２の間に中間層を設けて距離を空けた場合、導電性大領域４０６は、導電性小領域４０７と直接結合若しくは容量結合した後述する導電性小領域４１０に対して、タッチパネルによって検出されるために必要な電荷を供給する。このように、導電性大領域４０６をタッチパネルから遠ざかった位置に配置すると、導電性大領域４０６は被検出部となる導電性小領域に電荷を供給する電荷蓄積部として作用する。タッチパネルから遠ざかった位置とは、電気的な影響を無視できる程度にタッチパネルに対して垂直方向に距離を隔てた位置、若しくはタッチパネルとは対向しない電気的な影響を及ぼさない位置である。 
【００４１】
導電性小領域４０７の大きさは直径６〜１０ｍｍ程度の円形若しくは縦・横幅が当該直径程度の長さを有する矩形領域に収まる大きさに形成される。導電性小領域４０７の外形は、対向させた際に後述する導電性小領域４１０を大きく超えない形状に形成される。導電性小領域４１０を超えると、導電性小領域４０７と導電性小領域４１０を合わせた大きさがタッチパネルによって検出されることになり、導電性小領域４１０の位置を正確に検知できなくなるおそれがあるからである。 
なお、本実施例では導電性大領域４０６を中央領域としてその周囲に導電性小領域４０７を配置しているが、導電性大領域４０６をカードの一端側付近に設け（図示せず）、導電性小領域４０７をカードの他端側に設けても良い。導電性大領域４０６をカードの一端側付近に設けた場合は、導電性大領域４０６をタッチパネルに対向させない状態で入力デバイス４００を使用することが可能になる。 
【００４２】
また、中央領域４０６と４カ所の各導電性小領域４０７ａ、４０７ｂ、４０７ｃ、４０７ｄは、線幅の細い配線状の導通部４０８によって接続されている。導通部４０８は、中央領域４０６と各導電性小領域４０７を電気的に接続する部位であり、中央領域４０６に作用する電気的な作用を導電性小領域４０７にも及ぼすために設けたものである。なお、導電性小領域４０７とは異なり、導通部４０８がタッチパネルによって検出されることは好ましくないので、できるだけ短くかつ電気的な作用が失われない程度に細く形成することが好ましい。このような配慮から、本実施の形態では複数個配置した導電性小領域４０７の概ね中心となる位置に中央領域４０６を設け、当該中央領域４０６の周囲に配置した導電性小領域４０７とを導通部４０８によって接続している。 
なお、表層シート４０１と裏層シート４０２の間に中間層を設けて距離を空けた場合には、導電性小領域４０７のない第１導電層を設け、この第１導電層と導電性小領域４１０と直接的に結合してもよい。この場合、タッチパネルに対する影響の少ない導電性大領域４０６および導通部４０８のみによって第１導電層を設け、導通部４０８と導電性小領域４１０を接続することになる。 
【００４３】
裏層シート４０２の貼り合わせ面４０２ｂには、前述した４カ所の各導電性小領域４０７ａ、４０７ｂ、４０７ｃ、４０７ｄと対向する位置に、各導電性小領域４０７と同様の大きさ若しくはやや大きい面積の導電性を有する円形の導電性小領域４１０（４１０ａ、４１０ｂ、４１０ｃ、４１０ｄ）を設けている。当該導電性小領域４１０は、円形のみならず矩形若しくは多角形状であってもよい。なお、導電性小領域４０７と導電性小領域４１０は同じ大きさ、同じ形状に形成することを基本とするが、必ずしも同じ大きさ、同じ形状である必要はない。ただこの場合、貼りあわせ時に生じる位置ズレを考慮して導電性小領域４１０を導電性小領域４０７よりもやや大きく形成する。 
なお、前述のように表層シート４０１と裏層シート４０２の間に中間層を設けて距離を空けた場合には、必ずしも導電性小領域４０７は必要が無いので、タッチパネルによって検出可能か否かに基づいて導電性小領域４１０の大きさや形状が定められる。 
【００４４】
表層シート４０１の各導電性小領域４０７と裏層シート４０２の各導電性小領域４１０は、表層シート４０１と裏層シート４０２の貼り合わせることにより、直接接触若しくは貼り合わせのために塗布した接着層を介して近接する。両者が直接接触する場合には両領域は電気的に導通する。また、接着層を介して近接させた場合には、導電性を有する２つの領域が短い距離で対向するので、コンデンサを構成する対向した２つ電極と同様に、一方の電極（小領域）に作用した電気的作用を他方の電極（小領域）に及ぼすようになる。
【００４５】
接触導電性小領域４０７と導電性小領域４１０は、一体となってタッチパネルにより検出される被検出部を構成する。導電性小領域４０７と導電性小領域４１０は、２つの導電層が上下に重なり合った状態になり、入力デバイス４００の裏層シート４０２をタッチパネルの表面に接触させると、タッチパネルと容量結合する極性の電荷が導電性小領域４１０に移行し、反対の極性の電荷が導電性小領域４０７に移行する。これは、指先をタッチパネルに接触させた場合の作用を、導電性小領域４０７と導電性小領域４１０によって擬似的に行わせている状態である。 
【００４６】
また、直接導通させずに接触導電性小領域４０７と導電性小領域４１０を近接させた場合も一体となってタッチパネルにより検出される被検出部を構成する。導電性小領域４０７と導電性小領域４１０は、２つの導電層が上下に重なり合った状態になる。そして、入力デバイス４００の裏層シート４０２をタッチパネルの表面に接触させると、タッチパネルと容量結合する極性の電荷が導電性小領域４１０内のタッチパネル側に引き寄せられて容量結合を行い、反対の極性の電荷が導電性小領域４１０内の反対側（接触導電性小領域４０７側）に移動する。また、同時に中央領域４０６に人体が接触若しくは近接することで、接触導電性小領域４０７内の電荷が導電性小領域４１０内の上記反対の極性の電荷と引き合うように作用する。その結果、タッチパネルと容量結合する極性の電荷が、より導電性小領域４１０内のタッチパネル側に引き寄せられて容量結合を行うことになり、より明確にタッチパネルによって検出されるようになる。 
【００４７】
上記の例は、導電性小領域４１０を薄膜状の導電層として形成した場合を中心に説明したが、表層シート４０１と裏層シート４０２の間に中間層を設けて距離を空ける場合には、中間層の厚みに応じて導電性小領域４１０を立体的に構成する。中間層とは、表層シート４０１と裏層シート４０２の間に生じる層であり、中空の空間、接着剤や樹脂等を充填した層、紙や樹脂シートによって形成した第３のシートを設けるなど様々な態様で形成されるものである。第３のシートを設けた例については次の実施例において説明する。 
【００４８】
導電性小領域４１０を立体的に構成すると、単なる薄い層で形成した場合と比較してタッチパネルの反応が良くなる。すなわち、検出不良などが軽減される。 
導電性小領域４１０を立体的に構成する具体的な手段の一つは、導電性小領域４１０を発泡剤を加えた導電性インク等によって肉厚を有するように膨らませることである。一見して厚みが感じられるような０．５ｍｍ〜１ｍｍの肉厚、可能であれば１ｍｍ程度の肉厚があるとよい。このように肉厚を設けると、導電性小領域４１０内でタッチパネル側に引き寄せられる電荷と反発する電荷の分極が行われタッチパネルの反応が向上する。 
なお、当然ながら、導電性小領域４１０を立体的に構成する方法は当該例に限らないものであり、タッチパネルの反応を向上させるものである限り他の手段を用いても構わないものであり、このような態様も、特許請求の範囲を逸脱しない限りにおいて本発明の技術的範囲に属するものである。 
【００４９】
また、上記の入力デバイスは、最適な一例としてカード状に形成したものを一例として説明している。しかしながら、本発明はカードのような薄い板状のものに限らず、本発明を構成する技術的手段の全部又は一部を利用して肉厚のある板状体やブロック状のものものとして形成しても差し支えないものである。さらに、タッチパネルと接触する部位をローラー状に形成してタッチパネル上を転がすことで情報を入力するように構成することもできる。 
また、当該入力デバイスを用いた入力方法は、単体の入力デバイスを用いて情報を入力するのみならず、複数の入力デバイスを並べたり重ねたりするなど入力デバイスを複合的に組み合わせて用いても差し支えないものである。 
【００５０】
［実施例３］ 
次に、本発明の他の実施の形態を説明する。図５，図６に示したカード３００もスマートフォン等のタッチパネルの表面に接触させて使用する入力デバイスである。カード３００の表面には、指先を接触若しくは指先によって押圧するための位置を表す表示部３０４を設けており、当該表示部３０４に対する接触や押圧によって、所定の情報をスマートフォンＫに認識させることができるように構成されたものである。カード３００は、一例として表層シート３０１、中間層シート３０２，裏層シート３０３の３枚のシートを重ね合わせて接着し一枚のカードとして形成したものである。 
【００５１】
表層シート３０１は、合成樹脂若しくは紙等の絶縁性のシートとして形成されたものである。表層シート３０１の表面３０１ａには前述したように表示部３０４を印刷その他の手法により視認可能となるように設けている。なお、表示部３０４は、使用者に操作を正確に行わせる目的で設けたものであるが、タッチカードに認識させる情報を構成する上では必須の構成ではない。したがって、表示部３０４を設けない形態も実施可能である。 
図６中においてＡで示した円形内の図は、表層シート３０１の裏面側を表した斜視図である。裏面３０１ｂには、表面の表示部３０４の真裏部分に配置した直径１〜２ｃｍ程度の円形領域として形成した中央領域３０７と、中央領域３０７の周囲に配置した直径０．６〜１ｃｍ程度の円形領域として形成した４個の周縁領域３０８（３０８ａ、３０８ｂ、３０８ｃ、３０８ｄ）を有している。中央領域３０７と各周縁領域３０８は、金属箔や導電性インクによる印刷層として裏面３０１ｂ上に形成された導電性領域である。中央領域３０７と各周縁領域３０８は、細い導電部により電気的に接続されている。中央領域３０７と各周縁領域３０８は、円形若しくは矩形の領域として形成されるものであり、静電容量検知式のタッチパネルに対する入力部を構成できる程度の大きさに形成されたものである。 
【００５２】
中間層シート３０２は、合成樹脂若しくは紙等の絶縁性のシートとして形成されたものである。中間層シート３０２には、前述の４個の周縁領域３０８ａ、３０８ｂ、３０８ｃ、３０８ｄと対向する位置に、各周縁領域の外周よりもやや大きい貫通孔３０５（３０５ａ、３０５ｂ、３０５ｃ、３０５ｄ）を表裏に亘って穿設している。 
図６中においてＢで示した円形内の図は、中間層シート３０２と裏層シート３０３を個々に表した斜視図である。裏層シート３０３は、合成樹脂若しくは紙等の絶縁性のシートとして形成されたものである。裏層シート３０３には、中間層シート３０２の貫通孔３０５（３０５ａ、３０５ｂ、３０５ｃ、３０５ｄ）の中に収容される円形状の凸部３０６（３０６ａ、３０６ｂ、３０６ｃ、３０６ｄ）を設けている。当該凸部３０６は、導電性を有する素材で形成された、中実若しくはスポンジ状の凸部として形成されたものである。凸部３０６の高さは、中間層シート３０２の肉厚と同一若しくはやや超える寸法に形成されている。 
【００５３】
上記各表層シート３０１、中間層シート３０２および裏層シート３０３を接着すると、カード３００の内部では裏層シート３０３の各凸部３０６が表層シート３０１の周縁領域３０８と接触若しくは薄い接着層を介して近接する。このように形成したカード３００は、カード３００に触れる人間および静電容量検知式のタッチパネルの影響を受けて、内部で電荷の移動が起こる。 
表層シート３０１の表面３０１ａに設けた表示部３０４に指先が触れると、裏面３０１ｂの中央領域３０７を介して各周縁領域３０８の電荷の分布が変動する。そして、この影響を受けて、縁領域３０８に接触若しくは近接する凸部３０６内においても電荷の分布が変動する。さらに、各凸部３０６が静電容量検知式のタッチパネルに接触若しくは近接すると、指先による影響によって電荷の分布が変動した各凸部３０６がタッチパネルの検出部における静電容量を変化させる。すなわち、各凸部３０６を配置した場所において指先が接触しているのと同様にタッチパネルによって検出される。 
【００５４】
タッチパネルにおける凸部３０６の検出は、凸部３０６内におけるタッチパネル側に近い側の端部と遠い部分の端部との距離が遠いほど、検出の確実性が高くなる。これは、タッチパネル側に引き寄せられる電荷と反発する電荷が内部で分極し、反発する電荷による阻害が起きにくくなるためと推測される。さらに凸部３０６内部での分極は、タッチパネルの反対側に接触若しくは近接した周縁領域３０８の影響を受けてさらに進み、タッチパネルにおける検出が行われやすくなるという効果を有するものとなっている。 
【００５５】
［実施例４］ 
前述のように、タッチパネルの表面に接触する物体との容量結合を利用して、タッチパネルに対して各種入力を行う入力デバイスを構成することができる。一方、上記容量結合を利用した方式に加えて、押圧に伴うタッチパネル表面の変形を検出し、この押圧を操作入力として利用する端末装置がある。このような端末装置では、タッチパネルに対する操作が、静電容量のみによる入力であるか押圧を伴った入力であるかを判別できるようになっている。すなわち、同一のタッチパネルでありながら、性質の異なる２通り方法による操作入力が可能になっている。 
【００５６】
前述した特許文献１記載の入力デバイスは、タッチパネルにカードを裁置した後若しくは同時に表面に触れることで情報を入力するようになっている。この際、カードの表面に触れるだけではなく、タッチパネルを押圧することも可能である。静電容量を利用した入力と押圧を利用した入力の双方を利用すると、その組み合わせによって、多くのユニークな情報を構成することができるが未だこのような入力方法を利用したシステムは無い。  また、押圧位置の検出のみならず、押圧しながら押圧位置を移動させる際の移動経路、押圧や移動の順序、押圧の方法などを組み合わせて、これをタッチパネルに対する入力デバイスおよび入力方法として利用したシステムは無い。以下に説明する実施例では、タッチパネルの押圧検出機能を積極的に利用することができる入力方法および入力デバイスを提供するものとなっている。 
【００５７】
図７は本発明に係る一つの実施の形態であるカード１を表面側から見た状態の外観斜視図、図８は同カード１を裏面側から見た状態の外観斜視図を表している。カード１は、一例として０．５ｍｍ程度の肉厚に形成されており、外形形状は略矩形の薄いシート状を成している。その大きさはクレジットカード、トランプカードと同程度の指先で持つことができる程度の大きさに形成されており、一例として横幅５９ｍｍ×縦長さ８６ｍｍ程度の外形を成すように形成されている。カード１は紙若しくは合成樹脂シートを基材として表裏若しくは片面に印刷層を形成したものである。また、必要に応じて、基材を複数の層によって構成する。基材は、導電部として形成した部分を除き絶縁体として形成されている。
【００５８】
カード１の表面には、一例として印刷により矢印を伴う直線状の線を描いている。この矢印線は、指先による押圧若しくは接触の開始地点、押圧若しくは接触をさせたまま指先を移動させる移動経路、押圧若しくは接触の終了地点を示す表示部２となっている。なお、移動経路を示す線は、次に述べる凸部若しくは隆起部の形状や配置に応じて、円形であったり、ジグザグ状であったり、裏面側に突出若しくは隆起させる凸部３若しくは隆起部の配置に応じた表示内容が設けられる。カード１の裏面には、裏面より僅かに突出した円形や棒状等の形状に隆起させた凸部３（３ａ〜３ｅ）を設けている。当該凸部３は、表面に設けた前記表示部２の真裏若しくは表示部２として示された経路に沿った位置の裏面に設けている。 
【００５９】
タッチパネル上の押圧位置を検出することができるマルチタッチ方式の電子機器の場合、押圧位置の組み合わせを固有の情報として利用することができる。本カード１は、このような電子機器に対する入力デバイスとして用いることができるものである。図９は、カード１の使用方法の一例を表した説明図である。電子機器の一例であるスマートフォンＫのタッチパネルの表面に凸部３を設けたカード１の裏面を接触させ、接触させた状態のままカード１表面の表示部２を指先Ｕでなぞる。この際、押圧しながら移動させると、指先Ｕによる押圧に沿って凸部３が順次タッチパネルの表面を押圧する。そして、円形の点状の凸部３ａ、３ｃは指先でタッチ（押圧）したのと同様の作用を果たし、直線状の凸部３ｂ、３ｄ若しくは「＜」字状の凸部３ｅはその形状に沿ってタッチパネルをスワイプ（画面に触れたまま指を滑らせるように移動させること）させたような入力を行うことができる。
【００６０】
また、タッチパネルがタップと呼ばれる強く押さない軽い接触と、少し力を入れて深く押したような押圧を区別して認識できる機能を有した電子機器がある。このような電子機器用の入力デバイスとして、凸部の突出量、堅さ、接触面積などを加減することによって軽い接触と少し力を入れた押圧の違いも再現できるものを形成し、これを入力情報の要素として付加することができる。 
また、カード１を使用する場合、導電性を有する素材によって凸部３を形成し矢印表示の開始位置のみ指先による押圧を検出し、その後は押圧に関わらず凸部３の静電容量を検出するように認識システムを構成してもよい。すなわち、押圧位置の検出と静電容量を利用した位置の検出とを組み合わせて、それを固有の識別情報として利用してもよい。 
また、カード１において、導電性を有する素材によって凸部３を形成し、さらに付近が押圧されることによって凸部３がタッチパネルに接触若しくは近接するよう構成してもよい。この場合、表示部２の押圧位置を移動させることによって、タッチパネル表面に順次静電容量の変化を行わせ、これを識別可能な情報として認識さてもよい。 
このように押圧による検出と静電容量による検出を様々な形態で組み合わせることは特許請求の範囲を逸脱しない限りに置いて、本発明の技術的範囲に属するものである。 
【００６１】
図９に示すような方法でカード１を使用した場合、タッチパネル上では一例として図１０に示したものと同様の検出を行うことができる。即ち、第１に凸部３ａによって座標（x1,y1）をタップする。次いで凸部３ｂによって座標（x2,y2）から座標（x3,y4）に亘ってワイプを行った後、凸部３ｃによって座標（x4,y4）をタップする。さらに、凸部３ｄによって座標（x5,y5）から座標（x5,y6）に亘ってスワイプを行い、前記凸部３ｄによるスワイプ入力が座標（x5,y6）において終了する前に、凸部３ｅによって座標（x7,y7）から座標（x8,y8）および座標（x7,y9）に亘るスワイプ入力が行われる。画
【００６２】
カード１は、一例として肉厚の薄いシートによって構成している。このため、表面の一部が押圧されるとシートが撓み、押圧位置を中心としてその部位に作用する押圧力が近隣にも及ぶ。この際、近隣に他の部位に先立ってタッチパネルに接する部位（隆起部）があるとその部位がタッチパネルを押圧する。そして、押圧位置が移動すると押圧力が及ぶ範囲も順次移動し、移動経路中の近隣に存在する他の隆起部の押圧と押圧解除を伴いながらタッチパネルに対する押圧位置が移動する。このように、移動経路がタッチパネルを押圧する順序を定義する作用を伴いながら、識別可能な情報としてタッチパネルに対する入力を行う。 
【００６３】
また、同じカード１を用いて押圧開始位置の始点と接触の終点が逆になるように使用した場合、電子機器に対する入力の順序は異なる。特にスワイプ入力ではその方向が逆になるので、同一のカード１を用いた場合であっても電子機器に対して異なる情報を入力することが可能となっている。さらに、同じカード１を用いても、カード１の向きを１８０度変えて同様の操作をすると、電子機器においてこれを異なる情報として取得することができる。 
なお、隆起部をタッチパネルが検出できる程度の静電容量を保持できるように構成することができる。この場合、隆起部を導電性のある素材を用いて形成し、隆起部単独、隆起部と人体若しくは他の静電容量保持部との直接的若しくは間接的な導通によって隆起部をタッチパネルによって検出可能となるように構成する。間接的な導通とは、主として隆起部の静電容量に変化を及ぼすような近接のことである。 
この際、隆起部と人体を直接若しくは間接的に接続するような内部的な配線が適宜設けられ、この内部的な配線はタッチパネルに対して検出されないように幅、長さ、位置等を考慮した態様で設けられる。 
【００６４】
上記図９に示したようなタッチパネルに対する入力操作と見做せる情報の入力は、入力位置、押圧やスワイプ等の入力内容および入力順序を、単独若しくは組み合わせて１つの情報として取り扱うことができる。 
単純な例では、上記の１つの情報として取り扱うことができる入力内容を、照合可能な情報（被照合情報）として予め電子機器に搭載するアプリケーションプログラム若しくはインターネット上のサーバーに記憶させておく。そして、タッチパネルに対する入力の内容と被照合情報との対比を行い、一致若しくは不一致、または近似の程度によって予め定めた所定の処理を実行させるようにプログラムを構成する。予め定めた所定の処理には、予め指定したインターネット上のサイトに接続したり、動画や画像を表示させたり、ゲーム要素、暗号キー等として使用するなど多種多様の用途のものがある。 
【００６５】
従来の導電性領域のみで構成した入力デバイスは、タッチパネルに対して擬似的なマルチタッチ操作を行うことができるものである。しかしながら、平面的であるため全体を同時に認識させる仕様のものであったため、スワイプ操作を擬似的に行うことができないものであった。本実施形態に係るカードの場合、入力する情報にスワイプ動作を含めることができる。スワイプによって入力することができる情報は、始点、終点およびその中間の軌跡であり、正確な数を算出することが不可能なほど、固有情報として識別可能になる組み合わせの数は多数である。すなわち、等間隔に設定した固定的な座標を用いていた従来の静電的な原理を利用した入力デバイスと比較して、格段に多くのユニークコードを搭載ができるようになっている。 
【００６６】
［実施例５］ 
図１１及び図１２は、入力デバイスとして構成した他のカード１００の説明図である。このカード１００は、前記基材の表面に、押圧すべき場所と経路を示す直線状の矢印表示として設けた２個の表示部１０２ａ、１０２ｂを有するものである。カード１００は、裏面に各表示部１０２ａおよび１０２ｂの真裏の位置に設けた複数の隆起部１０３ａ・・１０３ｄ、隆起部１０４ａ・・１０４ｅを有している。さらに、１０２ａ、１０２ｂに沿って直線状に配置した一群の隆起部１０３ａ・・１０３ｄと一群の隆起部１０４ａ・・１０４ｅの両側に、各一群の隆起部の配置方向に沿って直線状の凸条１０５ａ、１０５ｂ、１０５ｃを設けている。本実施の形態では凸条１０５ｂは、一群の隆起部１０３ａ・・１０３ｄと一群の隆起部１０４ａ・・１０４ｅを区画する両群にとって共通の凸条になっている。 
【００６７】
前記凸条１０５ａ、１０５ｂ、１０５ｃは、可能な限りタッチパネルに対する面積を広くするのが好ましい。これは、表示部１０２ａ、１０２ｂに加えられた押圧力が凸条１０５ａ、１０５ｂ、１０５ｃに及んでも、応力を分散させて入力とみなさないようにするためである。すなわち、表示部１０２ａに沿って加えられた押圧力は隆起部１０３のみを押圧し、表示部１０２ｂに沿って加えられた押圧力は隆起部１０４のみを押圧するようにするためである。したがって、隆起部のみに応力が集中して、他の部位に作用する応力を分散させて入力とみなさないようにできるのであれば、前記凸条１０５ａ、１０５ｂ、１０５ｃの代わりにタッチパネルに接触する面積を広く形成した無情報部を設けてもよい。 
【００６８】
また、図１１及び図１２に示した例は、１つのカード１００に入力デバイスとして、一群の隆起部１０３ａ〜１０３ｄおよび１０４ａ〜１０４ｅからなる２個の情報を搭載している。この２個の情報を、一体の情報として取り扱うか個別の情報として取り扱うかは、搭載するアプリケーションプログラムの仕様によって異ならせれば良い。なお、押圧すべき場所と経路を示す表示部は、当然ながら当該例に限るものではなく、３本以上であってもよい。また、矢印として示した方向はカードの長手方向に沿ったものに限らず短手方向（横方向）に沿った短いものでもよい。 
【００６９】
［実施例６］ 
図１３は、入力デバイスの更に他の例として形成したカード２００の説明図である。 
このカード２００は、前記基材の表面に、押圧すべき場所と経路を示す円形状の矢印表示２０１を設けている。図１４に示すように、裏面には表示部２０１の表示位置に沿って複数の隆起部２０２を設けている。カード２００は、表面の矢印表示２０１に沿って指先Ｕで押圧を行うと、裏面に設けた隆起部２０２の配置通りの押圧を行うことができるものである。 
タッチパネル上の複数の押圧を略同時に検出することができるマルチタッチ方式の電子機器の場合、通常は同時に検出できる個数に上限（多くの機種では５個〜１０個）がある。しかしながら、矢印表示２０１に指示された方向に沿って指先Ｕで押圧を行う場合には、押圧時に同時に入力とみなされる隆起部２０２の数をマルチタッチ方式の上限を超えない個数に設定することは容易である。そして、この上限を超えない同時入力を、指先Ｕの押圧位置の移動によって連続的に行うことで、最終的には同時に検出できる個数の上限を超えた個数の隆起部の検出をカード２００の固有情報として認識することが可能となっている。 
また、矢印表示の方向とは反対の方向にむかって押圧位置を移動させると、隆起部２０２を検出させる順序を変えることができる。この検出順序をカード２００を識別するための条件として使用すると、隆起部２０２の配置が同じであっても、異なる情報として利用することができる。これにより、例えば時計回り方向に沿って表示部２０１を押圧すると設定された番号に電話をかけ、半時計方向回り方向に沿って表示部２０１を押圧すると設定されたメールアドレスを読み出して電子メールを作成する等の使用方法が可能になる。
【００７０】
さらに、また、押圧開始と押圧終了位置を適宜設定すると、隆起部２０２の配置が同じであっても、さらに異なる情報として利用することができる。例えば、表示部２０１に沿って０時の位置２０３ａから６時２０３ｃの位置まで押圧した場合、３時の位置２０３ｂから９時２０３ｄの位置を押圧した場合、６時２０３ｃの位置から３時２０３ｂの位置まで押圧した場合というように、同一の隆起部２０２を有したカードであって、タッチパネルによって認識される情報を変化させることができる。このような使い方をすると、一枚のカードであっても、複数の情報を保持しているのと実質的に同様の使い方ができるものとなっている。 
【００７１】
さらに、次のようなカードの構成も可能である。上記カード２００に搭載する隆起部の個数を、同時に検出できる個数以下の複数個に設定する。現在一般的なスマートフォンへ適用する場合、２〜４個若しくは５〜９個が理想である。そして隆起部を配置した環状領域の、中央付近の表面側に押圧位置を示す表示部２０４を設け、当該押圧位置２０４の押圧によって、環状の領域に配置した隆起部を同時にタッチパネルに検出させるような押しつけ力を作用させる。すなわち、矢印表示をした表示部２０１をなぞるように押圧する使い方と、中央の一点を押圧する方法の二通りの使い方を提供できるようになっている。 
なお、なぞる位置を示す表示部２０１および押圧位置を示す表示部２０４は、使用する者が使い方を知っている場合には必ずしも必要ではない。カード２００は、カード表面のある範囲をなぞる、若しくは押圧することによって押圧、接触等の情報をタッチパネルに入力できるものであればよい。 
【００７２】
また、前記中央の押圧位置には、金属箔、導電性インク、その他の手段により構成した薄膜状の導電性領域を設けることができる。導電性領域は裏面から露出させる場合の他、カードの中層に不可視的に設けても差し支えない。当該導電性領域は、タッチパネルが静電容量の変化によって入力を検出するタッチパネルである場合に、指先が触れたのと同様の入力を擬似的に行わせる手段である。導電性領域の面積は、タッチパネルが認識できる程度の面積を有するように構成される。導電性領域の面積を小さく形成することで単独ではタッチパネルが認識できない場合には、人体と直接的に結合若しくはコンデンサ効果による容量結合を行うように構成する。 
また、この実施の形態の場合、導電性領域を設けた部位に対する押圧は、カードの撓みを伴いつつ他の隆起部に伝達するものであるため、カードが撓むことができる空間が必要である。したがって、導電性領域を設けた部位には隆起部を設けず、静電容量の変化をタッチパネルに検出させるようになっている。 
【００７３】
以上説明した各種の実施例は、種々組み合わせて実施することが出来るものである。また、この発明は上記実施例に限定されるものではなく、特許請求の範囲を逸脱しない範囲で種々設計変更できることは勿論である。 
【産業上の利用可能性】
【００７４】
本発明は入力デバイスおよび情報処理方法に利用可能である。 
【符号の説明】
【００７５】
１  カード 
２  表示部 
３  凸部 
１００  カード 
１０２ａ、１０２ｂ  表示部 
１０３ａ・・１０３ｄ  凸部 
１０４ａ・・１０４ｅ  凸部 
１０５ａ、１０５ｂ、１０５ｃ  凸条 
６００ 入力デバイス 
６０１ 第１の導電層 
６０２（６０２ａ、６０２ｂ、６０２ｃ、６０２ｄ） 導電部 
６０３ 第２の導電層 
６０４ 配線部 
６０５ 広域導電部 
６０６（６０６ａ、６０６ｂ、６０６ｃ、６０６ｄ） 小領域 
６１０ シート体 
【図１】
2017076246.tif 000003
【図２】
2017076246.tif 000004
【図３】
2017076246.tif 000005
【図４】
2017076246.tif 000006
【図５】
2017076246.tif 000007
【図６】
2017076246.tif 000008
【図７】
2017076246.tif 000009
【図８】
2017076246.tif 000010
【図９】
2017076246.tif 000011
【図１０】
2017076246.tif 000012
【図１１】
2017076246.tif 000013
【図１２】
2017076246.tif 000014
【図１３】
2017076246.tif 000015
【図１４】
2017076246.tif 000016